(57)【特許請求の範囲】
【請求項１】
用紙に画像を形成する複数の画像形成装置が用紙搬送方向に接続された画像形成システムであって、
前記複数の画像形成装置のそれぞれは、予め定められた濃度変換用データ及びＩＤＣセンサからの電圧値に基づいて生成された濃度変換用データが記憶された記憶手段を有し、
前記複数の画像形成装置において用紙に形成された濃度補正用チャートを測色して、測色結果である電圧値を出力するカラーセンサと、
前記濃度補正用チャートを外部の測色機により測色した測色結果である濃度値を取り込む取り込み手段と、
複数の給紙トレイと、
前記カラーセンサによる測色結果である電圧値及び前記測色機による測色結果である濃度値を取得して、当該取得した電圧値及び濃度値の組み合わせである濃度変換用データを前記測色に用いた濃度補正用チャートを形成した画像形成装置の記憶手段に記憶させる濃度変換用データ登録手段と、
前記給紙トレイのそれぞれにセットされた用紙についての設定情報であるトレイ用紙プロファイル又は当該画像形成システムで用いられる各用紙についての設定情報である用紙プロファイルに対し、前記画像形成装置毎に、前記濃度変換用データ登録手段により取得された何れかの濃度変換用データ、予め定められた濃度変換用データ、ＩＤＣセンサに基づく濃度変換用データの何れかを関連付けて用紙設定記憶手段に記憶させる用紙設定手段と、
前記各画像形成装置の記憶手段に記憶されている濃度変換用データに基づいて、前記各画像形成装置において前記電圧値を前記濃度値に変換するための濃度変換テーブル又は関数を作成させ、画像形成時に、前記各画像形成装置に対し前記用紙設定記憶手段に記憶されている前記画像形成に用いる用紙の用紙プロファイル又は当該用紙がセットされた給紙トレイのトレイ用紙プロファイルに関連付けられた濃度変換用データを用いて作成された前記濃度変換テーブル又は前記関数に基づいてプリンタγ補正を行わせる制御手段と、
を備える画像形成システム。
【発明の詳細な説明】
【技術分野】
【０００１】
本発明は、画像形成システムに関する。
【背景技術】
【０００２】
画像形成装置における画像処理では、濃度補正が行われる。濃度補正には、例えばプリンタγ補正がある。
【０００３】
「プリンタγ補正」とは、画像形成装置に入力された入力画像の濃度や輝度などの（入力値）と、入力画像に基づいて実際に用紙に画像形成された画像の濃度（出力値）との相対関係を調整することをいう。プリンタγ補正が行われることにより、画像形成装置の装置特性による影響が低減され、入力画像に忠実な色の画像を用紙に形成することができる。なお、濃度補正にはプリンタγ補正の他、スクリーン処理等も影響要因として挙げられる。
【０００４】
例えば、特許文献１には、スキャナを用いてプリンタγ補正を行う技術が開示されている。具体的には、γ補正用パッチを用紙に形成し、γ補正用パッチが形成された用紙をスキャナで読み取る。始めのγ補正用パッチとスキャナで読み取られたγ補正用パッチとのデータを比較して相違を打ち消す濃度データを求める。これを濃度補正に用いることにより、プリンタγ補正を行う技術が開示されている。
【０００５】
また、スキャナを用いてγ補正用のパッチを読み取るかわりに、画像形成装置内の中間転写ベルト近傍にＩＤＣ（Image Density Control）センサを設け、このＩＤＣセンサにより中間転写ベルトに形成されたγ補正用パッチを読み取ることにより得られた電圧値と、測色機等によりγ補正用のパッチを読み取って得られたＸＹＺ三刺激値等の濃度値に基づいて、センサの電圧値を濃度値に変換するための濃度変換テーブル又は関数を作成し、この濃度変換テーブルを用いて入力値と出力値との関係を示すプリンタγ補正テーブルを作成してプリンタγ補正を行う技術も知られている。
【０００６】
また、例えば、特許文献２には、実際に用紙に形成される画像の濃度には下地となる用紙の色や濃度の違いを含んでいることを考慮して、標準用紙とは別に、ユーザが使用する目的用紙にγ補正用パッチを形成し、これをスキャナ読み取って目的用紙に応じた目標階調特性を生成し、これを用いてγ補正用の濃度データを作成する技術が記載されている。特許文献２においては、複数の目的階調特性が登録されているため、目的用紙に印刷を行う際、目的用紙に応じた目的階調特性をユーザが選択する操作を行っている。
【先行技術文献】
【特許文献】
【０００７】
【特許文献１】特開２００５−３０３７０１号公報
【特許文献２】特許第４２７４０３１号公報
【発明の概要】
【発明が解決しようとする課題】
【０００８】
ところで、近年、複数台の画像形成装置を用紙搬送方向に接続して構成される画像形成システム（直列タンデムシステム）が提案されている。
【０００９】
このような画像形成システムにおいて特許文献２に記載のような目的用紙に応じたプリンタγ補正を行う場合、ユーザは、各画像形成装置のそれぞれにおいて目的用紙に対応する目的階調特性を選択する操作必要があり、操作が煩雑で不便であった。
【００１０】
本発明の課題は、複数の画像形成装置を用紙搬送方向に接続した画像形成システムにおいてプリンタγ補正を行う際の設定操作の煩雑さを解消することである。
【課題を解決するための手段】
【００１１】
上記課題を解決するため、請求項１に記載の発明は、
用紙に画像を形成する複数の画像形成装置が用紙搬送方向に接続された画像形成システムであって、
前記複数の画像形成装置のそれぞれは、予め定められた濃度変換用データ及びＩＤＣセンサからの電圧値に基づいて生成された濃度変換用データが記憶された記憶手段を有し、
前記複数の画像形成装置において用紙に形成された濃度補正用チャートを測色して、測色結果である電圧値を出力するカラーセンサと、
前記濃度補正用チャートを外部の測色機により測色した測色結果である濃度値を取り込む取り込み手段と、
複数の給紙トレイと、
前記カラーセンサによる測色結果である電圧値及び前記測色機による測色結果である濃度値を取得して、当該取得した電圧値及び濃度値の組み合わせである濃度変換用データを前記測色に用いた濃度補正用チャートを形成した画像形成装置の記憶手段に記憶させる濃度変換用データ登録手段と、
前記給紙トレイのそれぞれにセットされた用紙についての設定情報であるトレイ用紙プロファイル又は当該画像形成システムで用いられる各用紙についての設定情報である用紙プロファイルに対し、前記画像形成装置毎に、前記濃度変換用データ登録手段により取得された何れかの濃度変換用データ、予め定められた濃度変換用データ、ＩＤＣセンサに基づく濃度変換用データの何れかを関連付けて用紙設定記憶手段に記憶させる用紙設定手段と、
前記各画像形成装置の記憶手段に記憶されている濃度変換用データに基づいて、前記各画像形成装置において前記電圧値を前記濃度値に変換するための濃度変換テーブル又は関数を作成させ、画像形成時に、前記各画像形成装置に対し前記用紙設定記憶手段に記憶されている前記画像形成に用いる用紙の用紙プロファイル又は当該用紙がセットされた給紙トレイのトレイ用紙プロファイルに関連付けられた濃度変換用データを用いて作成された前記濃度変換テーブル又は前記関数に基づいてプリンタγ補正を行わせる制御手段と、
を備える。
【発明の効果】
【００１５】
本発明によれば、複数の画像形成装置を用紙搬送方向に接続した画像形成システムにおいてプリンタγ補正を行う際の設定操作の煩雑さを解消することができる。
【図面の簡単な説明】
【００１６】
【図１】画像処理支援システムの概略構成図である。
【図２】画像形成装置の概略構成図である。
【図３】カラーセンサの概略構成図である。
【図４】画像形成システムの機能ブロック図である。
【図５】γ補正用チャートのサイズ仕様である。
【図６】γ補正用チャートの一例である。
【図７】（ａ）は、不揮発メモリ１０２ｃのデータ格納構造を示す図であり、（ｂ）は、不揮発メモリ２０２ｃのデータ格納構造を示す図である。
【図８】（ａ）は、図７（ａ）の用紙カテゴリ管理領域の構造を示す図であり、（ｂ）は、図７（ａ）、（ｂ）の用紙カテゴリ格納領域の構造を示す図である。
【図９】トレイ用紙プロファイルの構造を示す図である。
【図１０】用紙プロファイルの構造を示す図である。
【図１１】用紙カテゴリ、トレイ用紙プロファイル、用紙プロファイルの相互関係を示す図である。
【図１２】濃度変換用データの登録処理を示すフロー図である。
【図１３】起動時画面である。
【図１４】調整メニューの設定画面である。
【図１５】出力紙濃度調整の設定画面である。
【図１６】用紙カテゴリのリスト選択画面である。
【図１７】用紙カテゴリの名称入力画面である。
【図１８】プリントスタンバイ画面である。
【図１９】プリント中画面である。
【図２０】用紙カテゴリのリスト選択画面である。
【図２１】接続要求画面である。
【図２２】測色結果のファイル選択画面である。
【図２３】用紙カテゴリのリスト選択画面である。
【図２４】測色結果のファイルの登録が出来なかった場合の画面である。
【図２５】リンク解除処理を示すフロー図である。
【図２６】トレイ用紙プロファイルのリンク設定処理を示すフロー図である。
【図２７】起動時画面である。
【図２８】用紙設定画面である。
【図２９】個別設定変更画面である。
【図３０】用紙カテゴリ選択画面である。
【図３１】個別設定変更画面である。
【図３２】用紙プロファイルの登録処理を示すフロー図である。
【図３３】設定メニュー画面である。
【図３４】給紙トレイ設定画面である。
【図３５】用紙プロファイル登録画面である。
【図３６】用紙条件登録画面である。
【図３７】用紙カテゴリ選択画面である。
【図３８】用紙条件登録画面である。
【図３９】変形例におけるトレイ用紙プロファイルの構造を示す図である。
【図４０】変形例における個別設定画面及び用紙条件登録画面の一例を示す図である。
【発明を実施するための形態】
【００１７】
本実施形態における画像形成システムについて、図面を用いて詳細に説明する。なお、本実施形態に係る画像形成システムは本願発明の一例であり、必ずしもこれに限定されるものではない。
【００１８】
［画像処理支援システム１００Ａの構成］
まず、構成について説明する。
図１に、画像処理支援システム１００Ａの概略構成を示す。
図１に示すように、画像処理支援システム１００Ａは、第１の画像形成装置１（マスタ側）、第２の画像形成装置２（スレーブ側）、リレーユニット（以下、ＲＵ）３、及び後処理装置４を備える画像形成システム１００と、ＸＹＺ三刺激値測色機５と、外部ＰＣ６と、ＵＳＢメモリ７と、を備えて構成される。画像処理支援システム１００Ａは、画像形成システム１００を構成する各画像形成装置（ここでは、第１の画像形成装置１及び第２の画像形成装置２）の出力紙濃度調整を行なうためのシステムである。出力紙濃度調整とは、各画像形成装置において、使用される用紙に応じた最適なプリンタγ補正をかけることができるように、各画像形成装置において各種用紙に対する濃度変換用のデータを作成することをいう。
【００１９】
図２に、画像形成システム１００の概略構成を示す。
図２に示すように、画像形成システム１００は、第１の画像形成装置１、第２の画像形成装置２、ＲＵ３、後処理装置４が順に接続されて構成される。図２中の点線矢印は、用紙の搬送経路を示している。なお、本実施の形態においては２台の画像形成装置が接続された場合を例にとり説明するが、画像形成装置の台数は２台以上であれば特に限定されない。
【００２０】
第１の画像形成装置１は、電子写真方式のデジタル印刷機であって、制御部１０、給紙部１１、画像形成部１２、操作表示部１４等を備えて構成される。画像形成部１２は、ＹＭＣＫ各色の感光体ドラム１２ａ〜１２ｄ、中間転写ベルト１２ｅ、転写ローラ１２ｆ、定着装置１２ｇ等を備えて構成される。なお、この他にも自動原稿搬送部やスキャナ部等を備えて構成されるが、ここでの説明は省略する。また、ＩＤＣセンサ１２ｈが中間転写ベルト１２ｅの回転方向下流側に設置されている。
【００２１】
制御部１０は、画像制御ＣＰＵ１０１、ＲＡＭ１０２ａ、ＲＯＭ１０２ｂ、不揮発メモリ１０２ｃ（図４参照）等を備えて構成される。制御部１０の画像制御ＣＰＵ１０１は、ＲＯＭ１０２ｂ又は不揮発メモリ１０２ｃに記憶されている各種プログラムをＲＡＭ１０２ａに展開し、展開された各種プログラムとの協働により、第１の画像形成装置１の各部の動作を集中制御する。
【００２２】
給紙部１１は、複数の給紙トレイを備えて構成され、用紙種類ごとに用紙を格納し、格納されている用紙を所定の搬送路により搬送して用紙を給紙する。
【００２３】
画像形成部１２のＹＭＣＫ各色の感光体ドラム１２ａ〜１２ｄは、感光体ドラム上にＹＭＣＫ各色のトナー像をそれぞれ形成して担持し、これを中間転写ベルト１２ｅ上に転写する（一次転写）。
中間転写ベルト１２ｅは、転写されて形成されたトナー像を担持しながら回転する。
転写ローラ１２ｆは、中間転写ベルト１２ｅ上に担持されているＹＭＣＫ各色のトナー像を用紙に転写する（二次転写）。
定着装置１２ｇは、用紙に転写されて形成されたＹＭＣＫ各色のトナー像を加熱又は加圧し、トナー像を用紙に定着させる。トナー像が定着された用紙は、その後、第２の画像形成装置２に搬送される。
【００２４】
操作表示部１４は、ＬＣＤ（Liquid Crystal Display）及びタッチパネル等を備えて構成され、各種設定画面を表示する。また、操作表示部１４は、ユーザにより各種ボタンが押下された場合には押下信号を生成し、生成された押下信号を画像制御ＣＰＵ１０１に出力する。
【００２５】
第２の画像形成装置２は、電子写真方式のデジタル印刷機であって、制御部２０、給紙部２１、画像形成部２２等を備えて構成される。これらの各部の構成は、第１の画像形成装置１の同名の各部と同様の構成であるので説明を援用する。
【００２６】
ＲＵ３は、カラーセンサ３２を備えて構成される。第１の画像形成装置１及び第２の画像形成装置２が用紙にγ補正用チャート（濃度補正用チャート）を画像形成すると、ＲＵ３はカラーセンサ３２によりγ補正用チャートを読み取り、読み取られた電圧値の情報を画像制御ＣＰＵ１０１に出力する。また、ＲＵ３は、カラーセンサ３２の他にも、画像形成部２２から搬送されてくる用紙の搬送スピードと後処理装置４との同期をとる機能を備える。
【００２７】
図３に、カラーセンサ３２の概略構成及び条件を示す。
カラーセンサ３２は、ＬＥＤ光源３２１、受光素子３２２、レンズ３２３、レンズホルダ３２４等を備えて構成される反射型センサである。
カラーセンサ３２は、用紙に定着して形成されたチャート（本実施形態ではγ補正用チャート（図６参照））を測色して、測色により算出された電圧値を画像制御ＣＰＵ１０１に出力する。
【００２８】
後処理装置４は、パンチ処理、折り処理、糊塗布処理、断裁処理等の各種の後処理を行い得る機能、いわゆるフィニッシャー機能を備える装置である。
【００２９】
図１に戻り、ＸＹＺ三刺激値測色機５は、分光光度計等を備えて構成され、外部ＰＣ６とはＵＳＢ接続されている。ＸＹＺ三刺激値測色機５は、用紙に形成されたγ補正用チャートを読み取り、読み取られたγ補正用チャートをＸＹＺ三刺激値に変換する。また、ＸＹＺ三刺激値測色機５は、変換されたＸＹＺ三刺激値の情報を外部ＰＣ６に出力する。なお、本実施形態では、ＸＹＺ表色系を採用し、ＸＹＺ三刺激値測色機５によりＸＹＺ三刺激値を取得するようにしているが必ずしもこれに限られない。他の表色系を採用し、色空間座標値測色機により他の色空間座標値を濃度値として取得するようにしてもよい。
【００３０】
外部ＰＣ６は、出力されたＸＹＺ三刺激値の情報を入力し、入力されたＸＹＺ三刺激値の情報をＵＳＢメモリ７に記憶する。
【００３１】
ＵＳＢメモリ７は、外部ＰＣ６から抜き取られて第１の画像形成装置１に接続され、画像制御ＣＰＵ１０１にＸＹＺ三刺激値の情報を出力する。なお、ＸＹＺ三刺激値測色機５、外部ＰＣ６及び第１の画像形成装置１は、ＬＡＮケーブル等によりデータ通信可能に常時接続されるとしてもよい。
【００３２】
制御部１０の画像制御ＣＰＵ１０１は、ＵＳＢメモリ７から出力されたＸＹＺ三刺激値の情報を入力し、カラーセンサ３２により読み取られた電圧値、入力されたＸＹＺ三刺激値の情報及び予め定められたアルゴリズムに基づいて、電圧値をＸＹＺ三刺激値（濃度値）に変換するための電圧濃度変換テーブル（以下、濃度変換テーブル）又は関数を作成する。画像制御ＣＰＵ１０１は、作成された濃度変換テーブルを用いてプリンタγ補正用テーブルを作成し、画像形成時にプリンタγ補正を行う。
【００３３】
［画像形成システム１００の機能的構成］
図４に、画像形成システム１００の機能ブロック図を示す。
第１の画像形成装置１は、制御部１０、画像形成部１２、スキャナ部１３、操作表示部１４、プリントコントローラ１５、調停部１６、ＵＳＢポート１７等を備えて構成される。
【００３４】
制御部１０は、画像制御ＣＰＵ１０１、記憶部１０２、読み取り処理部１０３、圧縮ＩＣ１０４、ＤＲＡＭ制御ＩＣ１０５、画像メモリ１０６、伸張ＩＣ１０７、書き込み処理部１０８等を備えて構成される。
【００３５】
画像制御ＣＰＵ１０１は、記憶部１０２のＲＯＭ１０２ｂ又は不揮発メモリ１０２ｃに記憶されている各種プログラムを読み出してＲＡＭ１０２ａに展開し、展開された各種プログラムとの協働により各種処理を実行する。
【００３６】
記憶部１０２は、ＲＡＭ１０２ａ、ＲＯＭ１０２ｂ、不揮発メモリ１０２ｃにより構成される。
ＲＡＭ１０２ａは、画像制御ＣＰＵ１０１により実行制御される各種処理において、ＲＯＭ１０２ｂ又は不揮発メモリ１０２ｃから読み出されたプログラム、入力、若しくは出力データ及びパラメータ等の一時的な格納領域となる。
ＲＯＭ１０２ｂは、第１の画像形成装置１に対応するシステムプログラム及び該システムプログラム上で実行可能な各種プログラムを記憶する。これらのプログラムは、コンピュータが読み取り可能なプログラムコードの形態で格納され、画像制御ＣＰＵ１０１は、当該プログラムコードに従った動作を逐次実行する。また、ＲＯＭ１０２ｂは、プログラムの実行に必要なデータを記憶する。
不揮発メモリ１０２ｃについては後述する。
【００３７】
読み取り処理部１０３は、ＣＣＤ１３１から出力されるアナログ画像信号を入力し、入力されたアナログ画像信号にアナログ処理、シェーディング処理、Ａ／Ｄ変換処理等を行いデジタル画像データを生成する。読み取り処理部１０３は、生成された画像データを圧縮ＩＣ１０４に出力する。
【００３８】
圧縮ＩＣ１０４は、読み取り処理部１０３から出力される画像データに圧縮処理を行った後、圧縮された画像データをＤＲＡＭ制御ＩＣ１０５に出力する。
【００３９】
ＤＲＡＭ制御ＩＣ１０５は、読み取り処理部１０３により読み取られた画像データを圧縮ＩＣ１０４により圧縮し、圧縮画像データを１０６ａに記憶させる。
また、ＤＲＡＭ制御ＩＣ１０５は、圧縮メモリ１０６ａから圧縮画像データを読み出して伸長ＩＣ１０７により伸長し、伸長された非圧縮画像データをページメモリ１０６ｂに記憶させる。更に、ＤＲＡＭ制御ＩＣ１０５は、ページメモリ１０６ｂに記憶されている非圧縮画像データを読み出して書き込み処理部１０８に出力する。
【００４０】
画像メモリ１０６は、ＤＲＡＭにより構成され、圧縮メモリ１０６ａ及びページメモリ１０６ｂを備える。圧縮メモリ１０６ａは、圧縮画像データを記憶する。また、ページメモリ１０６ｂは、画像形成前に画像形成対象の非圧縮画像データを一時的に記憶する。
【００４１】
伸長ＩＣ１０７は、入力される圧縮画像データに伸長処理を行う。
【００４２】
書き込み処理部１０８は、ＤＲＡＭ制御ＩＣ１０５から入力された画像形成対象の画像データを画像形成部１２に出力する。
【００４３】
スキャナ部１３は、ＣＣＤ１３１及びＣＣＤ１３１を駆動制御するスキャナ制御部１３２を備えて構成される。スキャナ部１３は、図示しない原稿台に載置された原稿面を光源により露光走査して原稿面からの反射光を受光し、受光された反射光をＣＣＤ１３１により光電変換してアナログ画像信号を生成する。スキャナ部１３は、生成されたアナログ画像信号を読み取り処理部１０３に出力する。
【００４４】
操作表示部１４は、ＬＣＤ１４１及び操作表示制御部１４２等を備えて構成される。
ＬＣＤ１４１は、ＬＣＤ１４１を覆うタッチパネルを備える。操作表示制御部１４２は、画像制御ＣＰＵ１０１から出力される表示信号を入力し、入力される表示信号に基づいて各種設定画面等をＬＣＤ１４１に表示する。また、操作表示制御部１４２は、図示しない操作キー群又はタッチパネルの押下により生成される操作信号を入力し、入力される操作信号を画像制御ＣＰＵ１０１に出力する。
【００４５】
画像形成部１２は、プリンタエンジン１２２及びプリンタエンジン１２２の画像形成動作を制御するプリンタ制御部１２１を備えて構成される。プリンタエンジン１２２は、図１に示す感光体ドラム１２ａ〜１２ｄ、中間転写ベルト１２ｅ、転写ローラ１２ｆ、定着装置１２ｇ等を備えて構成され、用紙にトナー像を形成し、形成されたトナー像を定着させる一連の画像形成処理を行う。
【００４６】
プリントコントローラ１５は、コントローラ制御部１５１、ＤＲＡＭ制御ＩＣ１５２、画像メモリ１５３、ＬＡＮＩＦ１５４を備えて構成される。
【００４７】
コントローラ制御部１５１は、プリントコントローラ１５の各部の動作を統括的に制御する。
ＤＲＡＭ制御ＩＣ１５２は、ＬＡＮＩＦ１５４により受信された画像データやジョブの設定情報をコントローラ制御部１５１に出力するとともに、コントローラ制御部１５１からの指示に従って、コントローラ制御部１５１から入力された画像データを画像メモリ１５３へ一時的に格納する制御を行う。また、ＤＲＡＭ制御ＩＣ１５２は、第１の画像形成装置１のＤＲＡＭ制御ＩＣ１０５及び第２の画像形成装置２のＤＲＡＭ制御ＩＣ２０５とＰＣＩ（Peripheral Components Interconnect）バスで接続されており、コントローラ制御部１５１からの指示に従って、ジョブの設定情報をＤＲＡＭ制御ＩＣ１０５出力したり、画像メモリ１５３から画像データを読み出してＤＲＡＭ制御ＩＣ１０５及びＤＲＡＭ制御ＩＣ２０５に出力したりする。
【００４８】
画像メモリ１５３は、ＤＲＡＭにより構成され、画像データを一時的に記憶する。
ＬＡＮＩＦ１５４は、ＮＩＣやモデム等のＬＡＮと接続するための通信インターフェイスであり、外部ＰＣから送信された画像データをＬＡＮを介して受信する。また、ＬＡＮＩＦ１５４は、受信された画像データをＤＲＡＭ制御ＩＣ１５２に出力する。
【００４９】
調停部１６は、調停制御部１６１及びＮＩＣ（Network Interface Card）１６２等を備えて構成される。調停部１６は、第２の画像形成装置２の調停部２６との間で各種情報の送受信を行う。
【００５０】
ＵＳＢポート１７は、ＵＳＢメモリに記憶されている各種データを読み出して画像制御ＣＰＵ１０１に出力する。
【００５１】
第２の画像形成装置２は、制御部２０、画像形成部２２、調停部２６等を備えて構成される。第２の画像形成装置２の各部の処理については、第１の画像形成装置１において説明した同名の各部の処理と同様であるため、ここでの説明は省略する。
【００５２】
ＲＵ３は、ＲＵ制御部３１及びカラーセンサ３２等を備えて構成される。
ＲＵ制御部３１は、ＣＰＵ、ＲＡＭ、ＲＯＭ等から構成され、ＲＯＭに記憶されている各種プログラムを読み出してＲＡＭに展開し、展開された各種プログラムとの協働により各種処理を実行する。また、ＲＵ制御部３１は、プリンタ制御部２２１、画像制御ＣＰＵ２０１、調停部２６を介して画像制御ＣＰＵ１０１とデータ通信可能に接続される。
【００５３】
カラーセンサ３２は、センサ上を通過する用紙に形成されたγ補正用チャートを読み取り、得られた電圧値をＲＵ制御部３１に出力する。
【００５４】
次に、画像形成システム１００を構成する各画像形成装置（ここでは、第１の画像形成装置１及び第２の画像形成装置２）において出力紙濃度調整を行なうために出力されるγ補正用チャート、及び出力紙濃度調整のために確保されている不揮発メモリ領域について説明する。
【００５５】
［γ補正用チャート］
図５に、γ補正用チャートのサイズ仕様を示す。
γ補正用チャートのサイズ仕様の設定については、予め不揮発メモリ１０２ｃ、２０２ｃに記憶されているものとする。γ補正用チャートは複数のγ補正用パッチにより構成され、γ補正用パッチは複数枚の用紙に渡って形成される。なお、γ補正用パッチのサイズはカラーセンサ３２の性能等によって定まる。一般に、用紙サイズが大きいほどγ補正用チャートに用いられる用紙枚数は少なくて済み、用紙サイズが小さいほど多くの用紙が必要となる。ここでは、大サイズ、中サイズ、小サイズの合計３パターンの用紙サイズに対し、γ補正用チャートに必要な用紙枚数が対応付けられた設定となっている。例えば、副走査方向（用紙搬送方向）の長さが２９７.０ｍｍの用紙（Ａ４用紙）にγ補正用チャートを形成する場合、「中サイズ」であるから、「γ補正用パッチ数」は３２個、「用紙枚数」は４枚である。
【００５６】
図６に、γ補正用チャートの一例を示す。
図６に示すγ補正用チャートは、Ａ４用紙に形成されたγ補正用チャートである。ＹＭＣＫ各色のγ補正用パッチがＡ４−１〜Ａ４−４の合計４枚に渡って形成される。Ａ４用紙１枚につきγ補正用パッチは８個形成され、Ａ４用紙４枚で合計３２個形成される。ＹＭＣＫ各色のγ補正用パッチの総数は、３２個×４色＝１２８個である。γ補正用チャートＡ４−１〜Ａ４−４に形成されるγ補正用パッチの階調値は、同図に示すように、階調２５５を最大としてＡ４−１〜Ａ４−４に満遍なく散らされる。濃度を満遍なく散らすことにより、色の再現性を確保し、チャート依存性の低減又はノイズの低減を図ることができる。
【００５７】
［不揮発メモリ構造］
図７（ａ）に、第１の画像形成装置１における不揮発メモリ１０２ｃの構造を示す。図７（ａ）に示すように、不揮発メモリ１０２ｃには、出力紙濃度調整のためのデータ格納領域として、用紙カテゴリ管理領域Ａ１１、用紙カテゴリ格納領域Ａ１２、トレイ用紙プロファイル格納領域Ａ１３、用紙プロファイル格納領域Ａ１４が設けられている。この不揮発メモリ１０２ｃは、第１の画像処理装置１についての濃度変換用データを記憶する記憶手段、及び用紙設定記憶手段として機能する。
【００５８】
用紙カテゴリ管理領域Ａ１は、用紙カテゴリ管理情報を格納するための領域である。図８（ａ）に示すように、用紙カテゴリ管理領域Ａ１には、用紙カテゴリ管理情報として、Ｎｏ．１〜Ｎｏ．１０までの合計１０個の名称（用紙カテゴリの名称）が記憶される。
【００５９】
用紙カテゴリ格納領域Ａ１２は、第１の画像形成装置１に対する用紙カテゴリを格納するための領域である。
「用紙カテゴリ」とは、プリンタγ補正に用いるγ補正テーブルを作成する際に使用される濃度変換テーブル又は関数を作成するための濃度変換用データをいう。具体的には、γ補正用チャートをカラーセンサ３２で測色した結果を示す電圧値及び同じγ補正用チャートをＸＹＺ三刺激値測色機５で測色した結果を示す濃度値の組み合わせである。
図８（ｂ）に示すように、本実施形態における用紙カテゴリ格納領域Ａ１２は、Ｎｏ．１〜Ｎｏ．１０の最大で１０個の用紙カテゴリを記憶することができる。用紙カテゴリのそれぞれは、「登録状態」、「更新日」、「濃度値」、「パッチ測色電圧値」により構成される。「登録状態」は、０：未登録、１：測色データ登録待ち、２：登録済み、の何れかのデータである。「更新日」は、用紙カテゴリの更新日を示すデータである。「濃度値」には、第１の画像形成装置１で画像形成されたγ補正用チャートをＸＹＺ三刺激値測色機５で測色した結果を示すＸＹＺ三刺激値（濃度値）である。「パッチ測色電圧値」は、第１の画像形成装置１で画像形成されたγ補正用チャートをカラーセンサ３２で測色した結果を示す電圧値である。
【００６０】
なお、後述する一回の濃度変換用データの登録処理において登録された用紙カテゴリの名称、第１の画像形成装置１についての用紙カテゴリ、及び第２の画像形成装置２についての用紙カテゴリは、同一の登録Ｎｏ．が付与されることにより互いに関連付けられており、これにより同一種類の用紙を用いて取得された一まとまりの情報として管理されている。例えば、ＮＯ．１が付与されている各画像形成装置の不揮発メモリに記憶されている用紙カテゴリは、ＮＯ．１の用紙カテゴリ管理情報の「名称」をもつ同一種類の用紙についての用紙カテゴリとして管理されている。
【００６１】
トレイ用紙プロファイル格納領域Ａ１３は、トレイ用紙プロファイルを格納するための領域である。トレイ用紙プロファイルは、画像形成システム１００の給紙部（給紙部１１及び給紙部２１）が備える各給紙トレイにセットされた用紙についての設定情報である。トレイ用紙プロファイル格納領域Ａ１３は、画像形成システム１００が有する給紙トレイの数分のトレイ用紙プロファイルを記憶することができる領域を有している。図９に示すように、本実施の形態では、ＮＯ．１〜ＮＯ．９の最大で９個のトレイ用紙プロファイル設定を記憶することができるようになっている。
トレイ用紙プロファイルは、図９に示すように「用紙種類」、「用紙名称」、「坪量単位」、「坪量」、…、「プリンタγ補正モード」、「用紙カテゴリデータベースへのリンク」、の各データにより構成される。「プリンタγ補正モード」については、「デフォルト補正値」：１、「用紙カテゴリ」：２、「ＯＦＦ」：０、のうち何れかが登録される。「デフォルト補正値」は、予め定められたデフォルトの濃度変換用データを用いて濃度変換テーブル又は関数を作成するモードである。「用紙カテゴリ」は、後述する濃度変換用データの登録処理で登録された用紙カテゴリを濃度変換用データとして用いて濃度変換テーブル又は関数を作成するモードである。「ＯＦＦ」は、出力紙濃度調整を行なわず、ＩＤＣセンサを用いて取得された濃度変換用データを用いて濃度変換テーブル又は関数を作成するモードである。「用紙カテゴリデータベースへのリンク」については、用紙カテゴリの登録番号Ｎｏ．１〜Ｎｏ．１０（図８（ａ）、（ｂ）参照）のうち何れかの登録ＮＯ．番号が登録される。番号が登録されることにより、トレイ用紙プロファイルは登録された番号の用紙カテゴリとリンクする（関連付けられる）。
【００６２】
用紙プロファイル格納領域Ａ１４は、用紙プロファイルを格納するための領域である。用紙プロファイルは、画像形成システム１００で用いられる各用紙についての設定情報である。本実施の形態では、用紙プロファイル格納領域Ａ１４は、ＮＯ．１〜ＮＯ．５００の最大で５００個の用紙プロファイル設定を記憶することができる領域を有している。
用紙プロファイルは、図１０に示すようにトレイ用紙プロファイルと同じデータ構成である。トレイ用紙プロファイルと同様に、「プリンタγ補正モード」については、「デフォルト補正値」：１、「用紙カテゴリ」：２、「ＯＦＦ」：０、のうち何れかが登録される。「用紙カテゴリデータベースへのリンク」については、用紙カテゴリの登録番号Ｎｏ．１〜Ｎｏ．１０（図８（ａ）、（ｂ）参照）のうち何れかの番号が登録される。番号が登録されることにより、用紙プロファイルは登録された番号の用紙カテゴリとリンクする（関連付けられる）。
【００６３】
図７（ｂ）に、第２の画像形成装置２における不揮発メモリ２０２ｃの構造を示す。図７（ｂ）に示すように、不揮発メモリ２０２ｃには、出力紙濃度調整のためのデータ格納領域として、用紙カテゴリ管理領域Ａ２１、用紙カテゴリ格納領域Ａ２２が設けられている。この不揮発メモリ２０２ｃは、第２の画像処理装置２についての濃度変換用データを記憶する記憶手段として機能する。なお、用紙カテゴリ管理領域Ａ２１は、用紙カテゴリ管理領域Ａ１と同様に、用紙カテゴリ管理情報を格納するための領域であるが、通常は使用されない。
【００６４】
用紙カテゴリ格納領域Ａ２２は、第２の画像形成装置２に対する用紙カテゴリを格納するための領域である。用紙カテゴリ格納領域Ａ２２に格納される用紙カテゴリのデータ構成は、図８（ｂ）に示す用紙カテゴリ格納領域Ａ１２に格納される用紙カテゴリと同様である。ただし、「濃度値」は、第２の画像形成装置２で画像形成されたγ補正用チャートをＸＹＺ三刺激値測色機５で測色した結果を示すＸＹＺ三刺激値（濃度値）である。「パッチ測色電圧値」は、第２の画像形成装置２で画像形成されたγ補正用チャートをカラーセンサ３２で測色した結果を示す電圧値である。
【００６５】
また、不揮発メモリ１０２ｃ、２０２ｃのそれぞれは、図示しないが、上述のγ補正用チャートの画像データ、サイズ仕様、デフォルトの濃度変換用データ、ＩＤＣセンサによる濃度変換用データ等を記憶している。
【００６６】
図１１に、用紙カテゴリ、トレイ用紙プロファイル及び用紙プロファイルの相互関係を示す。前提として、ＵＳＢメモリ７がＵＳＢポート１７に挿入され、ＵＳＢメモリ７に記憶されているＸＹＺ三刺激値の情報が制御部１０の画像制御ＣＰＵ１０１に出力されたものとする。
【００６７】
ＵＳＢメモリ７に記憶されている、第１の画像形成装置１及び第２の画像形成装置２のそれぞれにおいて画像形成されたγ補正用チャートを測色したＸＹＺ三刺激値が画像制御ＣＰＵ１０１に入力されると、画像制御ＣＰＵ１０１は、入力されたＸＹＺ三刺激値を用紙カテゴリ格納領域Ａ１２、Ａ２２の同一登録番号（図１１では、Ｎｏ．１）に登録する。
【００６８】
トレイ用紙プロファイル及び用紙プロファイルは、用紙カテゴリにリンクすることができる。図１１の例では、トレイ番号２のトレイ用紙プロファイルは、用紙カテゴリのＮｏ．１にリンクしていることを示している。また、用紙番号３の用紙プロファイルは、用紙カテゴリのＮｏ．３にリンクしていることを示している。例えば、ユーザによりトレイ番号２の給紙トレイが指定されてプリントが行われる場合、トレイ番号２のトレイ用紙プロファイルにリンクされているＮｏ．１の用紙カテゴリの濃度変換用データを用いて作成された濃度変換テーブル又は関数に基づくプリンタγ補正が行われる。ユーザによりトレイが指定されずに用紙番号３に対応する用紙の種類が指定されてプリントが行われるか、又は、用紙番号３の用紙プロファイルが指定されてプリントが行われる場合、用紙番号３の用紙種類の用紙を装着している給紙トレイのトレイ用紙プロファイルが用紙番号３の用紙プロファイルの内容に更新され、用紙番号３の用紙プロファイルにリンクされているＮｏ．３の用紙カテゴリの濃度変換用データを用いて作成された濃度変換テーブル又は関数に基づくプリンタγ補正が行われる。
【００６９】
すなわち、ユーザは、実際に使用する用紙ごとに最適なプリンタγ補正をかけたい場合、使用する用紙のトレイ用紙プロファイル又は用紙プロファイルに、プリンタγ補正モードとして「用紙カテゴリ」を設定し、使用する用紙を用いて作成された用紙カテゴリをリンクさせておくことで、プリンタγ補正時に操作することなく最適なプリンタγ補正をかけることができる。
【００７０】
［濃度変換用データの登録処理］
図１２を参照して、濃度変換用データ（用紙カテゴリ）登録処理について説明する。濃度変換用データの登録処理は、画像制御ＣＰＵ１０１と記憶部１０２に記憶されているプログラムとの協働により実行される。濃度変換用データの登録処理の実行により、濃度変換用データ登録手段が実現される。
【００７１】
まず、画像制御ＣＰＵ１０１は、操作表示部１４に起動時画面を表示する（ステップＳ１）。
【００７２】
図１３に、起動時画面Ｇ１１を示す。
画面右側には、用紙トレイ（給紙トレイ）がトレイ番号１〜９まで選択可能に表示される。また、画面下側には「調整」ボタンが押下可能に表示される。
【００７３】
画像制御ＣＰＵ１０１は、起動時画面Ｇ１１において、用紙トレイが選択され、「調整」ボタンが押下された場合に生成される押下信号を入力したか否か判断する（ステップＳ２）。
【００７４】
調整ボタンの押下信号を入力していない場合（ステップＳ２；Ｎ）、画像制御ＣＰＵ１０１は、起動時画面Ｇ１１を継続して表示する。
調整ボタンの押下信号を入力した場合（ステップＳ２；Ｙ）、画像制御ＣＰＵ１０１は、操作表示部１４に調整メニューの設定画面を表示する（ステップＳ３）。
【００７５】
図１４に、調整メニューの設定画面Ｇ１２を示す。
画面右側には、「出力紙濃度調整」ボタンが押下可能に表示される。
【００７６】
画像制御ＣＰＵ１０１は、調整メニューの設定画面Ｇ１２において、「出力紙濃度調整」ボタンが押下された場合に生成される押下信号を入力したか否か判断する（ステップＳ４）。
【００７７】
出力紙濃度調整ボタンの押下信号を入力していない場合（ステップＳ４；Ｎ）、画像制御ＣＰＵ１０１は、調整メニューの設定画面Ｇ１２を継続して表示する。
出力紙濃度調整ボタンの押下信号を入力した場合（ステップＳ４；Ｙ）、画像制御ＣＰＵ１０１は、操作表示部１４に出力紙濃度調整の設定画面を表示する（ステップＳ５）。
【００７８】
図１５に、出力紙濃度調整の設定画面Ｇ１３を示す。
画面左側には、調整メニューの設定画面Ｇ１２から出力紙濃度調整の設定画面Ｇ１３に移行している様子が表示される。
画面右側には、「用紙カテゴリ登録」ボタンが押下可能に表示される。
【００７９】
画像制御ＣＰＵ１０１は、出力紙濃度調整の設定画面Ｇ１３において、「用紙カテゴリ登録」ボタンが押下された場合に生成される押下信号を入力したか否か判断する（ステップＳ６）。
【００８０】
用紙カテゴリ登録ボタンの押下信号を入力していない場合（ステップＳ６；Ｎ）、画像制御ＣＰＵ１０１は、出力紙濃度調整の設定画面Ｇ１３を継続して表示する。
用紙カテゴリ登録ボタンの押下信号を入力した場合（ステップＳ６；Ｙ）、画像制御ＣＰＵ１０１は、操作表示部１４に用紙カテゴリのリスト選択画面を表示する（ステップＳ７）。
【００８１】
図１６に、用紙カテゴリのリスト選択画面Ｇ１４を示す。
リスト選択画面Ｇ１４には、用紙カテゴリの名称又は名称が無い場合はブランク領域がＮｏ．１〜Ｎｏ．１０まで合計１０個選択可能に表示される。また、画面下側には、「印刷モード」ボタンが押下可能に表示される。
【００８２】
画像制御ＣＰＵ１０１は、用紙カテゴリのリスト選択画面Ｇ１４において、Ｎｏ．１〜Ｎｏ．１０までのうち、何れか一の用紙カテゴリが選択され、「印刷モード」ボタンが押下された場合に生成される押下信号を入力したか否か判断する（ステップＳ８）。
【００８３】
印刷モードボタンの押下信号を入力していない場合（ステップＳ８；Ｎ）、画像制御ＣＰＵ１０１は、用紙カテゴリのリスト選択画面Ｇ１４を継続して表示する。
印刷モードボタンの押下信号を入力した場合（ステップＳ８；Ｙ）、画像制御ＣＰＵ１０１は、操作表示部１４に用紙カテゴリの名称入力画面を表示する（ステップＳ９）。
【００８４】
図１７に、用紙カテゴリの名称入力画面Ｇ１５を示す。
用紙カテゴリの名称入力画面Ｇ１５には、キーボードが押下可能に表示される。画面下側には、「ＯＫ」ボタンが押下可能に表示される。
【００８５】
画像制御ＣＰＵ１０１は、用紙カテゴリの名称入力画面Ｇ１５において、名称が入力され、「ＯＫ」ボタンが押下された場合に生成される押下信号を入力したか否か判断する（ステップＳ１０）。
【００８６】
ＯＫボタンの押下信号を入力していない場合（ステップＳ１０；Ｎ）、画像制御ＣＰＵ１０１は、用紙カテゴリのリスト選択画面Ｇ１４を表示する。
ＯＫボタンの押下信号を入力した場合（ステップＳ１０；Ｙ）、画像制御ＣＰＵ１０１は、操作表示部１４にプリントスタンバイ画面を表示する（ステップＳ１１）。
【００８７】
図１８に、プリントスタンバイ画面Ｇ１６を示す。
画面右下側には、トレイ１〜トレイ９までの合計９個のトレイが選択可能に表示される。ここで選択されるトレイのトレイ用紙プロファイルに、後に濃度変換用データが登録される。
【００８８】
画像制御ＣＰＵ１０１は、プリントスタンバイ画面Ｇ１６において、トレイ１〜トレイ９までのうち、何れかのトレイが選択され、プリント開始ボタン（図示省略）が押下された場合に生成される押下信号を入力したか否か判断する（ステップＳ１２）。
【００８９】
プリント開始ボタンの押下信号を入力していない場合（ステップＳ１２；Ｎ）、画像制御ＣＰＵ１０１は、プリントスタンバイ画面Ｇ１６を継続して表示する。
プリント開始ボタンの押下信号を入力した場合（ステップＳ１２；Ｙ）、画像制御ＣＰＵ１０１は、操作表示部１４にプリント中画面を表示するとともに、選択されたトレイから順次用紙を給紙し画像形成システム１００に接続されている全ての画像形成装置の画像形成部によりγ補正用チャートを画像形成させてＲＵ３により測色させる（ステップＳ１３）。
【００９０】
図１９に、プリント中画面Ｇ１７を示す。
プリント中画面Ｇ１７には、「コピーしています」等のメッセージが表示される。
プリント中画面Ｇ１７を表示後、画像制御ＣＰＵ１０１は、具体的には以下の制御を行う。即ち、本実施の形態における画像形成システム１００には第１の画像形成装置１及び第２の画像形成装置２が接続されているので、ステップＳ１３において、画像制御ＣＰＵ１０１は、まず、選択されたトレイから用紙を給紙させ、給紙された用紙に第１の画像形成装置１の画像形成部１２によりγ補正用チャートを画像形成させる。そして、γ補正用チャートが画像形成された用紙をＲＵ３に搬送し、カラーセンサ３２に測色させる。次いで、画像制御ＣＰＵ１０１は、選択されたトレイから用紙を給紙させ、給紙された用紙に第２の画像形成装置２の画像形成部２２によりγ補正用チャートを画像形成させる。そして、γ補正用チャートが画像形成された用紙をＲＵ３に搬送し、カラーセンサ３２に測色させる。
【００９１】
全ての画像形成装置におけるγ補正用チャートの作成及び測色が終了すると、画像制御ＣＰＵ１０１は、操作表示部１４に表示されているプリント中画面Ｇ１７をプリントスタンバイ画面Ｇ１６に遷移させ、カラーセンサ３２により測色されたγ補正用チャートの測色値（電圧値）を用紙カテゴリに登録する（ステップＳ１４）。具体的には、ステップＳ９の名称入力画面Ｇ１７から入力された名称を登録する用紙カテゴリの名称として、用紙カテゴリ管理領域Ａ１１のステップＳ７で選択された用紙カテゴリのＮＯ．の領域に書き込む。画像形成部１２により作成されたγ補正用チャートの測色値を用紙カテゴリ領域Ａ１２のステップＳ７で選択された用紙カテゴリのＮＯ．の「パッチ測色電圧値」領域に書き込む。画像形成部２２により作成されたγ補正用チャートの測色値を用紙カテゴリ領域Ａ２２のステップＳ７で選択された用紙カテゴリのＮＯ．の「パッチ測色電圧値」領域に記憶させる。
【００９２】
次いで、画像制御ＣＰＵ１０１は、プリントスタンバイ画面Ｇ１６（図１８参照）において、「印刷モード終了」ボタンが押下された場合に生成される押下信号を入力したか否か判断する（ステップＳ１５）。
【００９３】
印刷モード終了ボタンの押下信号を入力しない場合（ステップＳ１５；Ｎ）、画像制御ＣＰＵ１０１は、プリントスタンバイ画面Ｇ１６を継続して表示する。
印刷モード終了ボタンの押下信号を入力した場合（ステップＳ１５；Ｙ）、画像制御ＣＰＵ１０１は、操作表示部１４に用紙カテゴリのリスト選択画面を表示する（ステップＳ１６）。
【００９４】
図２０に、用紙カテゴリのリスト選択画面Ｇ１８を示す。
リスト選択画面Ｇ１８は、リスト選択画面Ｇ１４と表示内容及び構成は同一である。ここでは、カラーセンサ３２により読み取られたγ補正用チャートの電圧値が用紙カテゴリに登録されたため、用紙カテゴリリストの一に名称が表示されている。また、合わせて、「測色データ読み込み待ち状態です」等のメッセージが表示される。  
画面下側には、「測色データ読み込み」ボタンが表示される。この「測色データ読み込み」ボタンは、当初は網掛け状態、即ち、押下不可能な状態で表示されるが、用紙カテゴリリストから用紙カテゴリが選択され、その用紙カテゴリが測色データ登録待ち状態、即ち、γ補正用チャートの電圧値が前段の処理工程で登録され、ＸＹＺ三刺激値が登録されていない用紙カテゴリであった場合に、画像制御ＣＰＵ１０１の制御により網掛けが解除され、押下可能な状態で表示される。このように、γ補正用チャートの電圧値が前段の処理工程で登録されＸＹＺ三刺激値が登録されていない用紙カテゴリが選択されている場合にのみ「測色データ読み込み」を押下できるように制御することで、電圧値のない用紙カテゴリや異なる種類の用紙の用紙カテゴリが選択されてしまうことを防止することができる。
【００９５】
測色データ読み込み待ち状態になると、ユーザは、ＸＹＺ三刺激値測色機５を用いて第１の画像形成装置１により作成されたγ補正用チャートと第２の画像形成装置２により作成されたγ補正用チャートのそれぞれを測色させる。ＸＹＺ三刺激値測色機５は、測色を行った後、測色結果であるＸＹＺ三刺激値の情報を外部ＰＣ６に出力する。外部ＰＣ６は、ＸＹＺ三刺激値測色機５から入力されたＸＹＺ三刺激値の情報をＵＳＢメモリ７に書き込む。測色後、ユーザは、リスト選択画面Ｇ１８の「測色データ読み込み」ボタンを押下する。なお、外部ＰＣ６では、ＸＹＺ三刺激値測色機５から入力されたＸＹＺ三刺激値の情報に、読み取ったγ補正用チャートを作成した画像形成装置の識別情報を付与することが可能である。
【００９６】
画像制御ＣＰＵ１０１は、リスト選択画面Ｇ１８において、「測色データ読み込み」ボタンが押下された場合に生成される押下信号を入力したか否か判断する（ステップＳ１７）。
【００９７】
測色データ読み込みボタンの押下信号を入力していない場合（ステップＳ１７；Ｎ）、画像制御ＣＰＵ１０１は、リスト選択画面Ｇ１８を継続して表示する。
測色データ読み込みボタンの押下信号を入力した場合（ステップＳ１７；Ｙ）、画像制御ＣＰＵ１０１は、操作表示部１４にＵＳＢメモリ７の接続要求画面を表示する（ステップＰＳ１８）。
【００９８】
図２１に、接続要求画面Ｇ１９を示す。
接続要求画面Ｇ１９には、「ＵＳＢメモリを接続してＯＫを選択して下さい」等のメッセージが表示される。また、「ＯＫ」ボタンが押下可能に表示される。
【００９９】
画像制御ＣＰＵ１０１は、接続要求画面Ｇ１９において、「ＯＫ」ボタンが押下された場合に生成される押下信号を入力すると、ＵＳＢメモリ７を認識できたか否か判断する（ステップＳ１９）。
【０１００】
認識できない場合（ステップＳ１９；Ｎ）、画像制御ＣＰＵ１０１は、接続要求画面Ｇ１９と同様の構成画面にて「ＵＳＢメモリを認識できませんでした」等のメッセージを表示する。
認識できた場合（ステップＳ１９；Ｙ）、画像制御ＣＰＵ１０１は、操作表示部１４に測色結果のファイル選択画面を表示する（ステップＳ２０）。
【０１０１】
図２２に、測色結果のファイル選択画面Ｇ２０を示す。
ファイル選択画面Ｇ２０には、ＵＳＢメモリ７に記憶されている測色結果のファイル名（ＸＹＺ三刺激値）が選択可能に表示される。画面下側には、「ＯＫ」ボタンが押下可能に表示される。
【０１０２】
画像制御ＣＰＵ１０１は、ファイル選択画面Ｇ２０において、ファイルが選択され、「ＯＫ」ボタンが押下された場合に生成される押下信号を入力したか否か判断する（ステップＳ２１）。
【０１０３】
ＯＫボタンの押下信号を入力していない場合（ステップＳ２１；Ｎ）、画像制御ＣＰＵ１０１は、ファイル選択画面Ｇ２０を継続して表示する。
ＯＫボタンの押下信号を入力した場合（ステップＳ２１；Ｙ）、画像制御ＣＰＵ１０１は、選択されたファイルを用紙カテゴリの「濃度値」に登録する（ステップＳ２２）。具体的には、ファイル選択画面Ｇ２０において選択されたファイルを、用紙カテゴリ格納領域Ａ１２又はＡ２２の、リスト選択画面Ｇ１８において選択された用紙カテゴリのＮＯ．の「濃度値」の領域に書き込む。第１の画像形成装置１により形成されたγ補正用チャートの測色結果は用紙カテゴリ領域Ａ１２に、第２の画像形成装置２により形成されたγ補正用チャートの測色結果は用紙カテゴリ領域Ａ１２に書き込ませる（記憶させる）。何れの領域に書き込むかは、例えば、ファイルに付与されている画像形成装置の識別情報により判断する。
【０１０４】
登録が終了すると、画像制御ＣＰＵ１０１は、濃度変換用データの登録処理は終了する。
【０１０５】
図２３に、濃度変換用データ、即ち用紙カテゴリが登録された後の用紙カテゴリのリスト選択画面Ｇ２１を示す。
リスト選択画面Ｇ２１は、リスト選択画面Ｇ１８と同一の構成及び内容である。ここでは、濃度変換用データが用紙カテゴリとして登録されたため、用紙カテゴリのリストの一に「測色データ読み込み待ち状態です」等のメッセージが削除され、用紙カテゴリの名称のみが表示される。
【０１０６】
図２４に、濃度変換用データの登録が出来なかった場合の画面Ｇ２２を示す。
画面Ｇ２２は、ファイル選択画面Ｇ２０において、適切なファイルが選択されずに「ＯＫ」ボタンが押下された場合に表示される画面である。画面Ｇ２２には、選択されたファイルを再確認する旨のメッセージが表示される。
【０１０７】
［リンク解除処理］
図２５を参照して、リンク解除処理について説明する。
リンク解除処理は、画像制御ＣＰＵ１０１と記憶部１０２に記憶されているプログラムとの協働により実行される。
なお、図１１で説明したように、トレイ用紙プロファイル又は用紙プロファイルは、用紙カテゴリとリンクしている。用紙カテゴリのＮｏ．１〜Ｎｏ．１０のうち、何れかの用紙カテゴリが削除又は上書き登録される場合、削除又は上書き登録時にリンクされているトレイ用紙プロファイル又は用紙プロファイルのリンク設定を削除する必要がある。
【０１０８】
画像制御ＣＰＵ１０１は、トレイ用紙プロファイルが削除又は上書き登録の対象となっている用紙カテゴリとリンクされているか否か判断する（ステップＳ３１）。
【０１０９】
リンクされている場合（ステップＳ３１；Ｙ）、画像制御ＣＰＵ１０１は、トレイ用紙プロファイルから用紙カテゴリへのリンク設定を削除し（ステップＳ３２）、ステップＳ３３に移行する。
リンクされていない場合（ステップＳ３１；Ｎ）、画像制御ＣＰＵ１０１は、ステップＳ３３に移行する。
【０１１０】
画像制御ＣＰＵ１０１は、既に登録済みのトレイ用紙プロファイルが他に存在するか否か判断する（ステップＳ３３）。
既に登録済みのトレイ用紙プロファイルが他に存在する場合（ステップＳ３３；Ｙ）、画像制御ＣＰＵ１０１は、他の登録済みのトレイ用紙プロファイルを読み込み（ステップＳ３４）、ステップＳ３１に移行する。
既に登録済みのトレイ用紙プロファイルが他に存在しない場合（ステップＳ３３；Ｎ）、画像制御ＣＰＵ１０１は、ステップＳ３５に移行する。
【０１１１】
画像制御ＣＰＵ１０１は、用紙プロファイルが削除又は上書き登録の対象となっている用紙カテゴリとリンクされているか否か判断する（ステップＳ３５）。
【０１１２】
リンクされている場合（ステップＳ３５；Ｙ）、画像制御ＣＰＵ１０１は、用紙プロファイルから用紙カテゴリへのリンク設定を削除し（ステップＳ３６）、ステップＳ３７に移行する。
リンクされていない場合（ステップＳ３５；Ｎ）、画像制御ＣＰＵ１０１は、ステップＳ３７に移行する。
【０１１３】
画像制御ＣＰＵ１０１は、既に登録済みの用紙プロファイルが他に存在するか否か判断する（ステップＳ３７）。
既に登録済みの用紙プロファイルが他に存在する場合（ステップＳ３７；Ｙ）、画像制御ＣＰＵ１０１は、他の登録済みの用紙プロファイルを読み込み（ステップＳ３８）、ステップＳ３５に移行する。
既に登録済みの用紙プロファイルが他に存在しない場合（ステップＳ３７；Ｎ）、画像制御ＣＰＵ１０１は、リンク解除処理を終了する。
【０１１４】
［トレイ用紙プロファイルのリンク設定処理］
図２６を参照して、トレイ用紙プロファイルのリンク設定処理について説明する。
トレイ用紙プロファイルのリンク設定処理は、画像制御ＣＰＵ１０１と記憶部１０２に記憶されているプログラムとの協働により実行される。トレイ用紙プロファイルのリンク設定処理の実行により、用紙設定手段が実現され、トレイ用紙プロファイルに用紙カテゴリを関連付けることができる。
【０１１５】
まず、画像制御ＣＰＵ１０１は、操作表示部１４に起動時画面を表示する（ステップＳ４１）。
【０１１６】
図２７に、起動時画面Ｇ３１を示す。
起動時画面Ｇ３１は、起動時画面Ｇ１１（図１３参照）と同一の構成及び内容である。起動時画面Ｇ３１には、画面左下側に「用紙設定」ボタンが押下可能に表示される。
【０１１７】
画像制御ＣＰＵ１０１は、起動時画面Ｇ３１において、用紙設定ボタンが押下された場合に生成される押下信号を入力したか否か判断する（ステップＳ４２）。
【０１１８】
用紙設定ボタンの押下信号を入力していない場合（ステップＳ４２；Ｎ）、画像制御ＣＰＵ１０１は、起動時画面Ｇ３１を継続して表示する。
用紙設定ボタンの押下信号を入力した場合（ステップＳ４２；Ｙ）、画像制御ＣＰＵ１０１は、操作表示部１４に用紙設定画面を表示する（ステップＳ４３）。
【０１１９】
図２８に、用紙設定画面Ｇ３２を示す。
画面左側には、トレイ１〜トレイ９までの合計９個の「トレイ」ボタンが選択可能に表示される。また、画面右下側には、「設定変更」ボタンが押下可能に表示される。
【０１２０】
画像制御ＣＰＵ１０１は、用紙設定画面Ｇ３２において、トレイ１〜トレイ９までのうち何れかのトレイが選択され、「設定変更」ボタンが押下された場合に生成される押下信号を入力したか否か判断する（ステップＳ４４）。
【０１２１】
設定変更ボタンの押下信号を入力していない場合（ステップＳ４４；Ｎ）、画像制御ＣＰＵ１０１は、用紙設定画面Ｇ３２を継続して表示する。
設定変更ボタンの押下信号を入力した場合（ステップＳ４４；Ｙ）、画像制御ＣＰＵ１０１は、操作表示部１４に個別設定変更画面を表示する（ステップＳ４５）。
【０１２２】
図２９に、個別設定変更画面Ｇ３３を示す。
個別設定変更画面Ｇ３３は、画面左側には、「出力紙濃度調整」ボタンが押下可能に表示される。また、「出力紙濃度調整」ボタンが押下状態の場合、画面左側に「デフォルト補正値」ボタン、「用紙カテゴリ」ボタン及び「ＯＦＦ」ボタンが押下可能に表示される。
ここで、トレイ用紙プロファイルに用紙カテゴリをリンク設定するための当該処理においては、個別設定変更画面Ｇ３３で「出力紙濃度調整」及び「用紙カテゴリ」ボタンを押下した場合の処理について説明するが、予め定められたデフォルトの補正値を使用した簡易的な濃度変換用データを使用する設定にしたり、出力紙濃度調整機能をＯＦＦにしてＩＤＣセンサを用いてプリンタγ補正を行う設定にしたりすることもできる。これらの設定は、不揮発メモリ１０２ｃのトレイ用紙プロファイルの「プリンタγ補正モード」として登録される。ユーザは、画像形成する際に要求する精度や用途に応じて出力紙濃度調整を設定することができる。
また、個別設定変更画面Ｇ３３においては、他の項目のボタン（例えば、用紙種類、用紙サイズ、坪量・・・）を押下すれば、これらの項目について入力、変更を行うことができる。
【０１２３】
画像制御ＣＰＵ１０１は、個別設定変更画面Ｇ３３において、「用紙カテゴリ」ボタンが押下された場合に生成される押下信号を入力したか否か判断する（ステップＳ４６）。
【０１２４】
用紙カテゴリボタンの押下信号を入力していない場合（ステップＳ４６；Ｎ）、画像制御ＣＰＵ１０１は、個別設定変更画面Ｇ３３を継続して表示する。
用紙カテゴリボタンの押下信号を入力した場合（ステップＳ４６；Ｙ）、画像制御ＣＰＵ１０１は、操作表示部１４に用紙カテゴリ選択画面を表示する（ステップＳ４７）。
【０１２５】
図３０に、用紙カテゴリ選択画面Ｇ３４を示す。
用紙カテゴリ選択画面Ｇ３４は、リスト選択画面Ｇ２１（図２３参照）と同一の構成及び内容である。画面中央には、用紙カテゴリが選択可能に表示される。また、画面下側には、「ＯＫ」ボタンが押下可能に表示される。
【０１２６】
画像制御ＣＰＵ１０１は、用紙カテゴリ選択画面Ｇ３４において、用紙カテゴリが選択され、「ＯＫ」ボタンが押下された場合に生成される押下信号を入力したか否か判断する（ステップＳ４８）。
【０１２７】
ＯＫボタンの押下信号を入力していない場合（ステップＳ４８；Ｎ）、画像制御ＣＰＵ１０１は、用紙カテゴリ選択画面Ｇ３４を継続して表示する。
ＯＫボタンの押下信号を入力した場合（ステップＳ４８；Ｙ）、画像制御ＣＰＵ１０１は、操作表示部１４に個別設定変更画面Ｇ３３を再度表示する（ステップＳ４９）。
【０１２８】
図３１に、再度表示された個別設定変更画面Ｇ３５を示す。
再度表示された個別設定変更画面Ｇ３５は、個別設定変更画面Ｇ３３（図２９参照）と同一の構成及び内容である。個別設定変更画面Ｇ３５では、「出力紙濃度調整」ボタン及び「用紙カテゴリ」ボタンが押下状態で表示される。また、画面下側には「ＯＫ」ボタンが押下可能に表示される。
【０１２９】
画像制御ＣＰＵ１０１は、個別設定変更画面Ｇ３５において、「ＯＫ」ボタンが押下された場合に生成される押下信号を入力したか否か判断する（ステップＳ５０）。
【０１３０】
ＯＫボタンの押下信号を入力していない場合（ステップＳ５０；Ｎ）、画像制御ＣＰＵ１０１は、個別設定変更画面Ｇ３５を継続して表示する。
ＯＫボタンの押下信号を入力した場合（ステップＳ５０；Ｙ）、画像制御ＣＰＵ１０１は、不揮発メモリ１０２ｃのトレイ用紙プロファイル格納領域Ａ１３において、用紙設定画面Ｇ３２において選択されたトレイのトレイ用紙プロファイルの「プリンタγ補正モード」を「用紙カテゴリ」に設定するとともに、当該トレイ用紙プロファイルが用紙カテゴリ選択画面Ｇ３４において選択された用紙カテゴリとリンクするように、上記選択されたトレイ用紙プロファイルの「用紙カテゴリデータベースへのリンク」に選択された用紙カテゴリの登録Ｎｏ．を登録し（ステップＳ５１）、トレイ用紙プロファイルのリンク設定処理を終了する。
【０１３１】
［用紙プロファイルの登録処理］
図３２を参照して、用紙プロファイルの登録処理について説明する。
用紙プロファイルの登録処理は、画像制御ＣＰＵ１０１と記憶部１０２に記憶されているプログラムとの協働により実行される。用紙プロファイルの登録処理により、用紙設定手段が実現され、用紙プロファイルに用紙カテゴリを関連付けることができる。また、最大５００個までの用紙プロファイルを予め登録しておくことができる。
【０１３２】
まず、画像制御ＣＰＵ１０１は、操作表示部１４に設定メニュー画面を表示する（ステップＳ６１）。
【０１３３】
図３３に、設定メニュー画面Ｇ４１を示す。
画面右側には、「ユーザ設定」ボタンが押下可能に表示される。
【０１３４】
画像制御ＣＰＵ１０１は、設定メニュー画面Ｇ４１において、「ユーザ設定」ボタンが押下された場合に生成される押下信号を入力し、続けて「環境設定」ボタン、「給紙トレイ設定」ボタンの順に押下信号を入力したか否か判断する（ステップＳ６２）。
【０１３５】
最後の給紙トレイ設定ボタンの押下信号を入力していない場合（ステップＳ６２；Ｎ）、画像制御ＣＰＵ１０１は、設定メニュー画面Ｇ４１を継続して表示する。
最後の給紙トレイ設定ボタンの押下信号を入力した場合（ステップＳ６２；Ｙ）、画像制御ＣＰＵ１０１は、給紙トレイ設定画面を表示する（ステップＳ６３）。
【０１３６】
図３４に、給紙トレイ設定画面Ｇ４２を示す。
画面右側には、設定メニューから始まり、ユーザ設定及び環境設定を経て、給紙トレイ設定に遷移してきた状態が表示される。また、画面左側には、「用紙設定」ボタンが押下可能に表示される。
【０１３７】
画像制御ＣＰＵ１０１は、給紙トレイ設定画面Ｇ４２において、「用紙設定」ボタンが押下された場合に生成される押下信号を入力したか否か判断する（ステップＳ６４）。
【０１３８】
用紙設定ボタンの押下信号を入力していない場合（ステップＳ６４；Ｎ）、画像制御ＣＰＵ１０１は、給紙トレイ設定画面Ｇ４２を継続して表示する。
用紙設定ボタンの押下信号を入力した場合（ステップＳ６４；Ｙ）、画像制御ＣＰＵ１０１は、操作表示部１４に用紙プロファイル登録画面を表示する（ステップＳ６５）。
【０１３９】
図３５に、用紙プロファイル登録画面Ｇ４３を示す。
画面中央には、Ｎｏ．１〜Ｎｏ．５００まで合計５００個の用紙プロファイルが選択可能に表示される。また、画面下側には、「追加／編集」ボタンが押下可能に表示される。
【０１４０】
画像制御ＣＰＵ１０１は、用紙プロファイル登録画面Ｇ４３において、用紙プロファイルが選択され、「追加／編集」ボタンが押下された場合に生成される押下信号を入力したか否か判断する（ステップＳ６６）。
【０１４１】
追加／編集ボタンの押下信号を入力していない場合（ステップＳ６６；Ｎ）、画像制御ＣＰＵ１０１は、用紙プロファイル登録画面Ｇ４３を継続して表示する。
追加／編集ボタンの押下信号を入力した場合（ステップＳ６６；Ｙ）、画像制御ＣＰＵ１０１は、操作表示部１４に用紙条件登録画面を表示する（ステップＳ６７）。
【０１４２】
図３６に、用紙条件登録画面Ｇ４４を示す。
用紙条件登録画面Ｇ４４の画面左側には、「出力紙濃度調整」ボタンが押下可能に表示される。また、「出力紙濃度調整」ボタンが押下状態の場合、画面左側に「デフォルト補正値」ボタン、「用紙カテゴリ」ボタン及び「ＯＦＦ」ボタンが押下可能に表示される。
ここで、上述のトレイ用紙プロファイルへの設定時と同様に、用紙条件登録画面４４からは、「出力紙濃度調整」及び「用紙カテゴリ」ボタンを押下した場合の処理について説明するが、予め定められたデフォルトの濃度変換用データを使用する設定にしたり、出力紙濃度調整機能をＯＦＦにしてＩＤＣセンサを用いてプリンタγ補正を行う設定にしたりすることもできる。これらの設定は、不揮発メモリ１０２ｃの用紙プロファイルの「プリンタγ補正モード」として登録される。ユーザは、画像形成する際に要求する精度や用途に応じて出力紙濃度調整を設定することができる。
また、個別設定変更画面Ｇ３３においては、他の項目のボタン（例えば、用紙種類、用紙サイズ、坪量・・・）を押下すれば、これらの項目について入力、変更を行うことができる。
【０１４３】
画像制御ＣＰＵ１０１は、用紙条件登録画面Ｇ４４において、「出力紙濃度調整」及び「用紙カテゴリ」が選択され、「ＯＫ」ボタンが押下された場合に生成される押下信号を入力したか否か判断する（ステップＳ６８）。
【０１４４】
ＯＫボタンの押下信号を入力していない場合（ステップＳ６８；Ｎ）、画像制御ＣＰＵ１０１は、用紙条件登録画面Ｇ４４を継続して表示する。
ＯＫボタンの押下信号を入力した場合（ステップＳ６８；Ｙ）、画像制御ＣＰＵ１０１は、操作表示部１４に用紙カテゴリ選択画面を再度表示する（ステップＳ６９）。
【０１４５】
図３７に、用紙カテゴリ選択画面Ｇ４５を示す。
用紙カテゴリ選択画面Ｇ４５は、用紙カテゴリ選択画面Ｇ３４（図３０参照）と同一の構成及び内容である。画面中央には、用紙カテゴリが選択可能に表示される。ここで表示されている用紙カテゴリは、ユーザが予め登録しておいた用紙カテゴリである。また、画面下側には、「ＯＫ」ボタンが押下可能に表示される。
【０１４６】
画像制御ＣＰＵ１０１は、用紙カテゴリ選択画面Ｇ４５において、用紙カテゴリが選択され、「ＯＫ」ボタンが押下された場合に生成される押下信号を入力したか否か判断する（ステップＳ７０）。
【０１４７】
ＯＫボタンの押下信号を入力していない場合（ステップＳ７０；Ｎ）、画像制御ＣＰＵ１０１は、用紙カテゴリ選択画面Ｇ４５を継続して表示する。
ＯＫボタンの押下信号を入力した場合（ステップＳ７０；Ｙ）、画像制御ＣＰＵ１０１は、操作表示部１４に用紙条件登録画面Ｇ４４を再度表示する（ステップＳ７１）。
【０１４８】
図３８に、再度表示された用紙条件登録画面Ｇ４６を示す。
再度表示された用紙条件登録画面Ｇ４６は、用紙条件登録画面Ｇ４４（図３６参照）と同一の構成及び内容である。用紙条件登録画面Ｇ４６では、「出力紙濃度調整」ボタン及び「用紙カテゴリ」ボタンが押下状態で表示される。また、画面下側には「ＯＫ」ボタンが押下可能に表示される。
【０１４９】
画像制御ＣＰＵ１０１は、用紙条件登録画面Ｇ４６において、「ＯＫ」ボタンが押下された場合に生成される押下信号を入力したか否か判断する（ステップＳ７２）。
【０１５０】
ＯＫボタンの押下信号を入力していない場合（ステップＳ７２；Ｎ）、画像制御ＣＰＵ１０１は、用紙条件登録画面Ｇ４６を継続して表示する。
ＯＫボタンの押下信号を入力した場合（ステップＳ７２；Ｙ）、画像制御ＣＰＵ１０１は、不揮発メモリ１０２ｃの用紙プロファイル格納領域Ａ１４において、用紙プロファイル登録画面Ｇ４３において選択された用紙プロファイルのプリンタγ補正モードを「用紙カテゴリ」に設定するとともに、当該用紙プロファイルが用紙カテゴリ選択画面Ｇ４５において選択された用紙カテゴリとリンクするように、「用紙カテゴリへデータベースのリンク」に用紙カテゴリ選択画面Ｇ４５から選択された用紙カテゴリの登録ＮＯ．を登録し（ステップＳ７３）、用紙プロファイルの登録処理を終了する。
【０１５１】
［変形例］
上述の説明では、画像形成システム１００に接続されている全ての画像形成装置について出力紙濃度調整の設定を同じにする場合を例にとり説明したが、以下の変形例に示すように、それぞれの画像形成装置について個別に出力紙濃度調整の設定を行うことができるようにしてもよい。
【０１５２】
それぞれの画像形成装置について個別に出力紙濃度調整の設定を行う構成とする場合、トレイ用紙プロファイル格納領域Ａ１３に格納されるトレイ用紙プロファイルは、図３９に示すような構造となる。即ち、プリンタγ補正モードと用紙カテゴリデータベースへのリンクに、各画像形成装置のプリンタγ補正モードと用紙カテゴリへのリンク情報が格納される。用紙プロファイル格納領域Ａ１４に格納される用紙プロファイルについても同様の構造となる。それ以外の構成は、上述したとおりである。
【０１５３】
また、画像制御ＣＰＵ１０１の制御としては、以下の点が異なる。
変形例において、上述のトレイ用紙プロファイルのリンク設定処理のステップＳ４５において表示される個別設定変更画面Ｇ３３、用紙プロファイルの登録処理のステップＳ６７において表示される用紙条件登録画面Ｇ４４において「出力紙濃度調整」ボタンが選択された際、画像制御ＣＰＵ１０１は、図４０に示すように、画像形成システム１００に接続されている各画像形成装置（ここでは、マスタ側、スレーブ側）に対しての「デフォルト補正値」ボタン、「用紙カテゴリ」ボタン、「ＯＦＦ」ボタンを表示する。これにより、ユーザは、各画像形成装置に対して個別に出力紙濃度調整の設定ができる。何れかの画像形成装置に対して「用紙カテゴリ」ボタンが押下されると、画像制御ＣＰＵ１０１は、用紙カテゴリ選択画面を操作表示部１４に表示する。ユーザは、「用紙カテゴリ」ボタンを押下した画像形成装置に対して個別に用紙カテゴリを選択することができる。全ての画像形成装置に対しての出力紙濃度調整の設定、及び「用紙カテゴリ」ボタンを押下した画像形成装置に対しての用紙カテゴリの選択が終了し、個別設定変更画面Ｇ３５、又は用紙条件登録画面Ｇ４５からＯＫボタンが押下されると、画像制御ＣＰＵ１０１は、トレイ用紙プロファイル又は用紙プロファイルに各画像形成装置毎の出力紙濃度調整を設定する。即ち、画像制御ＣＰＵ１０１は、不揮発メモリ１０２ｃに記憶されている、選択されたトレイ用紙プロファイル又は用紙プロファイルの「プリンタγ補正モード」に、各画像形成装置毎の出力紙濃度調整を登録し、出力紙濃度調整の設定として「用紙カテゴリ」が選択された画像形成装置に対しては、「用紙カテゴリデータベースへのリンク」に選択された用紙カテゴリの登録Ｎｏ．を登録する。この変形例によれば、ユーザは、各画像形成装置の使用用途に応じて、最適なプリンタγ補正を行うことが可能となる。
【０１５４】
画像制御ＣＰＵ１０１は、画像形成システム１００の起動時や濃度変換用データの登録処理の終了時等の予め定められたタイミングでγ補正テーブル作成処理を実行し、各画像形成装置の画像制御ＣＰＵ、ここでは第１の画像形成装置の画像制御ＣＰＵ１０１及び第２の画像形成装置２のＣＰＵ２０１に、それぞれの不揮発メモリの用紙カテゴリ格納領域に格納されている各用紙カテゴリの電圧値及び濃度値に基づいて予め定められたアルゴリズムにより各用紙カテゴリに対応する濃度変換テーブル又は関数（電圧値をＸＹＺ三刺激値等の濃度値に変換するためのテーブル又は関数）を作成させる。そして、作成した濃度変換テーブル又は関数を用いてプリンタγ補正テーブルを作成させる。作成された濃度変換テーブル又は関数、プリンタγ補正テーブルは、用紙カテゴリの登録ＮＯ．に対応付けてＲＡＭ等に記憶される。
【０１５５】
また、画像制御ＣＰＵ１０１は、画像形成ジョブの実行開始時に、ジョブにおいて指定された（ユーザにより指定された）トレイに対応するトレイ用紙プロファイルの用紙カテゴリの情報を取得し、取得した用紙カテゴリのＮＯ．を各画像形成装置の画像制御ＣＰＵに通知する。ユーザによりトレイが指定されずに用紙の種類が指定されたか、又は、或る用紙プロファイルが指定された場合、画像制御ＣＰＵ１０１は、指定された用紙種類又は用紙プロファイルに対応する用紙を装着している給紙トレイのトレイ用紙プロファイルをその用紙の用紙プロファイルの内容に更新し、更新したトレイ用紙プロファイルにリンクされている用紙カテゴリのＮＯ．を各画像形成装置の画像制御ＣＰＵに通知する。
各画像形成装置の画像制御ＣＰＵは、ＲＡＭ等に記憶されている、通知された用紙カテゴリに対応するプリンタγ補正テーブルに基づいてプリンタγ補正を行う。
【０１５６】
以上のように、本実施形態によれば、ユーザが実際に使用する用紙の種類ごとに色空間座標値変換情報（ＸＹＺ三刺激値変換テーブル）を不揮発メモリ１０２ｂに予め記憶しておくことができる。なお、色空間座標値変換情報（ＸＹＺ三刺激値変換テーブル）は、カラーセンサ３２により入力された電圧値の情報及び色空間座標値測色機（ＸＹＺ三刺激値測色機５）により測色された色空間座標値（ＸＹＺ三刺激値）の情報に基づいて生成される。よって、ユーザは簡易な操作で実際に使用する用紙に対して最適なプリンタγ補正をかけることができる。
【０１５７】
以上説明したように、画像形成システム１００によれば、マスタ側である第１の画像形成装置１の画像制御ＣＰＵは、濃度変換用データの登録処理を実行することによって、第１の画像形成装置１及び第２の画像形成装置２のそれぞれにおいて画像形成された濃度補正用チャートのカラーセンサ３２による測色結果である電圧値及びＸＹＺ三刺激値測色機５による測色結果である濃度値を取得して、当該取得した電圧値及び濃度値の組み合わせである濃度変換用データを前記測色に用いた濃度補正用チャートを形成した画像形成装置の不揮発メモリに記憶させる。                      
また、画像制御ＣＰＵ１０１は、トレイ用紙プロファイルのリンク設定処理において、トレイ用紙プロファイルに少なくとも一つ以上の濃度変換用データを関連付けて（リンクさせて）不揮発メモリ１０２ｃに記憶させる。或いは、画像制御ＣＰＵ１０１は、用紙プロファイルの登録処理において、用紙プロファイルに少なくとも一つ以上の濃度変換用データを関連付けて不揮発メモリ１０２ｃに記憶させる。
そして、画像制御ＣＰＵ１０１は、電源投入時又は濃度変換用データの登録処理後等の所定のタイミングで、第１の画像形成装置１及び第２の画像形成装置２に対しそれぞれの不揮発メモリに記憶されている濃度変換用データに基づいて電圧値を濃度値に変換するための濃度変換テーブル又は関数を作成させ、画像形成時に、第１の画像形成装置１及び第２の画像形成装置２に対し画像形成に用いる用紙の用紙プロファイル又は当該用紙がセットされた給紙トレイのトレイ用紙プロファイルに関連付けられた濃度変換用データを用いて作成された濃度変換テーブル又は関数に基づいてプリンタγ補正を行わせる。
【０１５８】
従って、各画像形成装置のそれぞれにおいて、画像形成に用いるトレイ又は用紙に関連付けられている濃度変換用データに基づいて自動的に濃度変換テーブル又は関数を作成し、これに基づきプリンタγ補正を行うので、出力紙に応じたプリンタγ補正を行う場合において、従来のように画像形成時に各画像形成装置において出力階調特性を選択するという操作が不要となり、プリンタγ補正を行う際の設定操作の煩雑さを解消することができる。
【０１５９】
また、トレイ用紙プロファイル又は前記用紙プロファイルに対し、各画像形成装置毎の濃度変換用データを関連付けて不揮発メモリ１０２ｃに記憶する構成とすることで、各画像形成装置の使用用途に応じて最適なγ補正を行うことが可能となる。例えば、トレイ用紙プロファイル又は用紙プロファイルに対し、画像再現の精度を要求する画像形成装置には濃度変換用データの登録処理によって登録された何れかの濃度変換用データを用い、それほど精度を要求しない用途の画像形成装置には調整が容易なＩＤＣセンサを用いることが可能となる。
【０１６０】
また、濃度変換用データの登録処理において、複数の画像形成装置のそれぞれに同一種類の用紙を用いてγ補正用チャートを形成させ、複数の全ての画像形成装置についての濃度変換用データを取得した後、当該取得した濃度変換用データのそれぞれに同一種類の用紙を用いて取得された一まとまりの濃度変換用データであることを示す登録Ｎｏ．を付与して各画像形成装置の不揮発メモリに記憶させておき、トレイ用紙プロファイル又は用紙プロファイルへの濃度変換用データの関連付けを行う際には、濃度変換用データの登録Ｎｏ．を一括して関連付けるようにすれば、同一種類の用紙を用いて取得した濃度変換用データを一括して各画像形成装置に自動的に関連付けることが可能となる。
【０１６１】
なお、上記実施の形態における記述は、本発明に係る画像形成システムの好適な一例を示すものであり、これに限定されるものではない。
【０１６２】
例えば、本発明の画像形成システムは、第１の画像形成装置１、第２の画像形成装置２、ＲＵ３、後処理装置４等が、それぞれ独立して構成されて接続されているものに限らず、一体に構成されているものであっても構わない。
【０１６３】
また、上記実施の形態においては、ＸＹＺ三刺激値測色機５の測色結果を取り込む取り込み手段としてのＵＳＢポートを第１の画像形成装置が備える構成としたが、何れの画像形成装置にあっても構わない。
【０１６４】
また、上記実施の形態においては、トレイ用紙プロファイルと用紙プロファイルの双方に濃度変換用データの関連付けを行ったが、何れか一方のみに関連付ける構成としても構わない。
【０１６５】
また、上記の説明では、本発明に係るプログラムのコンピュータ読み取り可能な媒体として、ＲＯＭ、不揮発性メモリ、ハードディスク等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【０１６６】
その他、各装置の細部構成及び細部動作に関しても、本発明の趣旨を逸脱することのない範囲で適宜変更可能である。
【符号の説明】
【０１６７】
１００  画像形成システム
１      第１の画像形成装置
２      第２の画像形成装置
１０    制御部
１０１  画像制御ＣＰＵ
１０２  記憶部
１０３  読み取り処理部
１０４  圧縮ＩＣ
１０５  ＤＲＡＭ制御ＩＣ
１０６  画像メモリ
１０６ａ  圧縮メモリ
１０６ｂ  ページメモリ
１０７  伸長ＩＣ
１０８  書き込み処理部
１１    給紙部
１２    画像形成部
１３    スキャナ部
１４    操作表示部
１５    プリントコントローラ
１５１  コントローラ制御部
１５２  ＤＲＡＭ制御ＩＣ
１５３  画像メモリ
１５４  ＬＡＮＩＦ
１６    調停部
１７    ＵＳＢポート
２０    制御部
２０１  画像制御ＣＰＵ
２０２  記憶部
２０３  読み取り処理部
２０４  圧縮ＩＣ
２０５  ＤＲＡＭ制御ＩＣ
２０６  画像メモリ
２０６ａ  圧縮メモリ
２０６ｂ  ページメモリ
２０７  伸長ＩＣ
２０８  書き込み処理部
２２    画像形成部
２６    調停部
３      ＲＵ
３１    ＲＵ制御部
３２    カラーセンサ
４      後処理装置
５      ＸＹＺ三刺激値測色機
６      外部ＰＣ
７      ＵＳＢメモリ
【図１】
0005609568.tif 000002
【図２】
0005609568.tif 000003
【図３】
0005609568.tif 000004
【図４】
0005609568.tif 000005
【図５】
0005609568.tif 000006
【図６】
0005609568.tif 000007
【図７】
0005609568.tif 000008
【図８】
0005609568.tif 000009
【図９】
0005609568.tif 000010
【図１０】
0005609568.tif 000011
【図１１】
0005609568.tif 000012
【図１２】
0005609568.tif 000013
【図１３】
0005609568.tif 000014
【図１４】
0005609568.tif 000015
【図１５】
0005609568.tif 000016
【図１６】
0005609568.tif 000017
【図１７】
0005609568.tif 000018
【図１８】
0005609568.tif 000019
【図１９】
0005609568.tif 000020
【図２０】
0005609568.tif 000021
【図２１】
0005609568.tif 000022
【図２２】
0005609568.tif 000023
【図２３】
0005609568.tif 000024
【図２４】
0005609568.tif 000025
【図２５】
0005609568.tif 000026
【図２６】
0005609568.tif 000027
【図２７】
0005609568.tif 000028
【図２８】
0005609568.tif 000029
【図２９】
0005609568.tif 000030
【図３０】
0005609568.tif 000031
【図３１】
0005609568.tif 000032
【図３２】
0005609568.tif 000033
【図３３】
0005609568.tif 000034
【図３４】
0005609568.tif 000035
【図３５】
0005609568.tif 000036
【図３６】
0005609568.tif 000037
【図３７】
0005609568.tif 000038
【図３８】
0005609568.tif 000039
【図３９】
0005609568.tif 000040
【図４０】
0005609568.tif 000041